(57)【特許請求の範囲】
【請求項１】
表面側に払込情報記入部を有する払込票と、表面側に納品情報記入部を有する納品明細票と、表面側に返品情報記入部を有し裏面側に葉書表示及び返品宛名表示を有する返品連絡票とを、切り取り部を境に連接してなるシート上に、前記各票と重ならないようにして、表面側に配送情報記入部を有する貼付票と配達票兼受領票とからなる配送票を、剥離可能かつ再接着可能に設け、前記配達票兼受領票は再接着後に再剥離可能であることを特徴とする納品管理票。
【請求項２】
表面側に払込情報記入部を有する払込票と、表面側に納品情報記入部を有する納品明細票と、表面側に返品情報記入部を有し裏面側に葉書表示及び返品宛名表示を有する返品連絡票とを、切り取り部を境に連接してなるシートに、前記各票と重ならないようにして、表面側に配送情報記入部を有する貼付票と配達票兼受領票とからなる配送票を、スリットまたはミシン目で分離可能に区画形成し、この配送票の裏面側には貼着部を設け、前記シ−トから分離した配送票を前記貼着部で貼着した後、前記配達票兼受領票を剥離可能としたことを特徴とする納品管理票。
【発明の詳細な説明】
【０００１】
【発明の属する技術分野】
本発明は、通信販売等における商品を配送する際に、商品のピッキング作業から一連の配送作業を通じて使用するのに適した納品管理票に関し、特に、払込票と納品明細票と返品連絡票とからなるシートに、配送票を剥離可能あるいは分離可能に設けてなる納品管理票に関する。
【０００２】
【従来の技術】
従来、この種の納品管理は、払込票と納品票とからなる帳票を用いて行われ、配送作業に必要な配送票は別体のものを使用している。そして、納品票に表示された配送対象となる商品を保管棚等から取り出して包装箱に収納するピッキング作業は、払込票と納品票とからなる帳票を包装箱の上に載せたり、包装箱内に入れて、納品票の表示内容を確認しながら行っている。
【０００３】
【発明が解決しようとする課題】
ところが、この従来例によると、配送票が別体なので、配送先や商品等のプリント作業は、この配送票と、払込票と納品票とからなる帳票とに対して、各別に行う必要があるので二度手間となるほか、前記配送票と前記帳票とのプリント内容に齟齬がないかチェックしなければならず、これらの作業が煩雑で作業効率が劣るものであった。また、配送票を貼付する際に、間違った包装箱に貼付しがちで、配送先と配送商品とのマッチングミスを起こし易いものであった。
【０００４】
本発明は、このような従来の不都合を解消した、商品のピッキング作業から一連の配送作業を通じて使用するのに適した納品管理票を提供することを目的とする。
【０００５】
【課題を解決するための手段】
この目的を達成するために、本願発明の請求項１に記載した納品管理票は、表面側に払込情報記入部を有する払込票と、表面側に納品情報記入部を有する納品明細票と、表面側に返品情報記入部を有し裏面側に葉書表示及び返品宛名表示を有する返品連絡票とを、切り取り部を境に連接してなるシート上に、前記各票と重ならないようにして、表面側に配送情報記入部を有する貼付票と配達票兼受領票とからなる配送票を、剥離可能かつ再接着可能に設け、前記配達票兼受領票は再接着後に再剥離可能であることを特徴とする。
【０００６】
この目的を達成するために、本願発明の請求項２に記載した納品管理票は、表面側に払込情報記入部を有する払込票と、表面側に納品情報記入部を有する納品明細票と、表面側に返品情報記入部を有し裏面側に葉書表示及び返品宛名表示を有する返品連絡票とを、切り取り部を境に連接してなるシートに、前記各票と重ならないようにして、表面側に配送情報記入部を有する貼付票と配達票兼受領票とからなる配送票を、スリットまたはミシン目で分離可能に区画形成し、この配送票の裏面側には貼着部を設け、前記シ−トから分離した配送票を前記貼着部で貼着した後、前記配達票兼受領票を剥離可能としたことを特徴とする。
【０００７】
【発明の実施の形態】
以下、本発明の好適な実施の形態を添付図面に基づいて詳細に説明する。ここにおいて、図１〜図４は第１の実施形態を示すもので、図１は納品管理票の表面側を示す平面図、図２はその裏面側を示す平面図、図３は配送票部分の断面図、図４は包装用箱に貼付した配送票から配達票兼受領票を剥離する状態を示す斜視図である。また、図５は配送票部分の他の実施形態を示す断面図である。
【０００８】
図１及び図２に示すように、納品管理票１は、払込票２と納品明細票３と返品連絡票４と案内書５と白紙部３１を、切り取り部たる切り用ミシン目６，７，８を介して連接してなるシート１ａを備え、シート１ａの横方向（幅方向）両側には、それぞれ切り用ミシン目９ａ，９ｂを境としてマージナル部１０ａ，１０ｂを設け、各マージナル部１０ａ，１０ｂには多数のマージナル孔１１ａ，１１ｂを等間隔に設けている。図示してはいないが、この納品管理票１は当初、図１上、横方向に延びる切り用ミシン目を介して縦方向に多数連接してなる連続状態にある。
【０００９】
図１及び図２に示すように、払込票２は、切り用ミシン目６，１２で切り離し可能に形成した、払込取扱票１３と払込票兼受領証１４と払込受領証１５とからなる。前記払込取扱票１３と前記払込票兼受領証１４は、郵便局での払込に使用するものであり、一方、前記払込受領証１５はコンビニエンスストアでの払込に使用するものである。
【００１０】
図１に示すように、払込取扱票１３の表面側には、「払込取扱票」なる表題のほか、払込先口座番号、払込金額、払込先である加入者名、払込手数料を記入する払込先情報記入欄１６と、払込人の住所氏名を記入する払込人情報記入欄１７とを印刷している。前記払込先情報記入欄１６と前記払込人情報記入欄１７とによって、払込情報記入部を構成している。そして、前記払込先情報記入欄１６と前記払込人情報記入欄１７は当初未記入状態にあり、追って図１に示すように、これら記入欄１６，１７には、郵便局の払込手数料を除く上述の各所定情報を印字するものである。
【００１１】
同じく図１に示すように、払込票兼受領証１４の表面側には、「払込票兼受領証」なる表題のほか、払込先口座番号、払込先である加入者名、払込金額、払込人情報を記入する払込情報記入欄と受領印捺印欄とからなる払込受領情報記入欄１８を印刷している。払込情報記入部たる前記払込情報記入欄は当初未記入状態にあり、追って図１に示すように、上述の各所定情報を印字するものである。また、前記受領印捺印欄には、郵便局の受領印を捺印するものである。
【００１２】
同じく図１に示すように、払込受領証１５の表面側には、「払込受領証（コンビニエンスストア用）」と上下二段に表示した表題のほか、払込人名、払込金額、受取人を記入する払込情報記入欄と受領印捺印欄とからなる払込受領情報記入欄１９を設けている。払込情報記入部たる前記払込情報記入欄は当初未記入状態にあり、追って図１に示すように、上述の各所定情報を印字するものである。また、前記受領印捺印欄には、コンビニエンスストアの受領印を捺印するものである。
【００１３】
図１に示すように、納品明細票３の表面側には、「納品明細票」という表題のほか、納品情報記入部たる品番、品名、数量、金額、合計数量、合計金額の各記入欄からなる商品明細記入欄２０があらかじめ印刷され、この商品明細記入欄２０は当初未記入状態にあり、追って図１に示すように、届け先である購入申込者から送られた図示していない商品購入申込書に通信販売カタログに基づいて記入された商品明細情報と同一内容の情報を印字するものである。
【００１４】
同じく図１に示すように、返品連絡票４の表面側には、「返品票」という表題のほか、伝票番号記入部２１、返品する商品の品番、数量、理由を記入する返品明細記入欄２２があらかじめ印刷されている。また、前記伝票番号記入部２１の下には、購入申込者であるお客様名を印字する客名記入部２３を設けている。前記伝票番号記入部２１と前記返品明細記入欄２２及び前記客名記入部２３は当初未記入状態にあり、追って図１に示すように、前記伝票番号記入部２１には伝票番号を印字し、前記返品明細記入欄２２には商品明細記入欄２０の品番と同一の品番を印字し、前記客名記入部２３にはお客様名を印字するものである。
【００１５】
そして、返品連絡票４は料金後納の葉書として形成されている。すなわち、図２で明らかなように、返品連絡票４の裏面側には、「郵便はがき」なる葉書表示２４を印刷するとともに、葉書の郵送先となる商品発送元である通信販売会社の住所、名称からなる返品宛名表示２５をあらかじめ印刷してある。
【００１６】
同じく図１に示すように、案内書５の表面側には、商品発送元である通信販売会社による挨拶文２６と、支払い及び返品の案内を記した案内文２７をあらかじめ印刷してある。
【００１７】
図１及び図３に示すように、配送票３２を構成する貼付票３３と配達票兼受領票３４は、スリット３５を介して連接し、基材３６に弱粘着剤３７で剥離可能に接着するとともに、前記基材３６の裏面に設けた強粘着剤３８で、シート１ａの剥離剤３９を塗布した白紙部３１上に接着している。そして、基材３６の前記配達票兼受領票３４に対応する表面側には、印刷層４０を形成して、前記配達票兼受領票３４の剥離性を高めている。
【００１８】
この印刷層４０は、網点印刷や地紋印刷等で設けるほか、網点印刷や地紋印刷等に重ねて「お買い上げありがとうございます」のような文章を印刷して設けるものである。前記印刷層４０は、特に、配達票兼受領票３４の剥離開始端となる隅部にベタ印刷を施して、この隅部の剥離性を高めておくとよい。
【００１９】
このため、配送票３２は、基材３６とともに白紙部３１から剥離可能で、強粘着剤３８により再接着可能であり、受領票３４は基材３６から容易に剥離可能である。また、剥離剤３９は、均一に塗布してもよいが、プリント時の剥離トラブル防止のため、前記配送票３２の一対の対向辺に対応する部分を剥離しにくいように塗布してもよい。この剥離しにくい部分は、剥離性が劣る別の剥離剤を塗布して形成することもできる。
【００２０】
図１に示すように、貼付票３３の表面側には、「貼付票」という表題のほか、伝票番号記入部４１、配送情報記入部たる届け先記入欄４２、発送元表示４３があらかじめ印刷されている。前記伝票番号記入部４１と前記届け先記入欄４２は当初未記入状態にあり、追って図１に示すように、前記伝票番号記入部４１には伝票番号を印字し、前記届け先記入欄４２には、配送情報である届け先の住所、氏名、電話番号を印字するものである。
【００２１】
また、配達票兼受領票３４の表面側には、「受領票」という表題のほか、伝票番号記入部４４、配送情報記入部たる届け先記入欄４５、発送元表示４６、受領印捺印欄４７があらかじめ印刷されている。前記伝票番号記入部４４と前記届け先記入欄４５は当初未記入状態にあり、追って図１に示すように、前記伝票番号記入部４４には伝票番号を印字し、前記届け先記入欄４５には、配送情報である届け先の住所、氏名、電話番号を印字するものである。
【００２２】
続いて、上述した納品管理票１の使用方法を説明する。まず、連続状態にある納品管理票１を所定方向に移送しながら、印字データをあらかじめ入力したコンピュータの出力装置であるプリンタによって、払込取扱票１３、払込票兼受領証１４、払込受領証１５、納品明細票３、返品連絡票４、貼付票３３、受領票３４の各記入欄１６，１７，１８，１９，２０，２２，４２，４５及び各記入部２１，２３，４１，４４に所定のデータを印字する。これによって、必要事項を印字した連続状態の納品管理票１となり、続いて単位毎に分断して、図１状態の納品管理票１となる。
【００２３】
ピッキング作業にあたっては、配送票３２を基材３６とともに白紙部３１から剥離し、露出した粘着剤３８によって包装箱５０の見やすい適宜位置、例えば図４に示すように、包装箱５０の上面の適宜位置に前記配送票３２を貼着する。一方、配送票３２を剥離した納品管理票１は、包装箱５０の中に入れて、納品明細票３の納品明細記入欄２０に印字記入された内容に応じて、商品をピッキングして包装箱５０内に収容する。そして、ピッキング作業が終了したら、配送作業に移る。
【００２４】
なお、ピッキング作業時には配送票３２を剥離しないでおき、配送作業に移る前に、配送票３２を納品管理票１から剥離し、包装箱５０の上面などの適宜位置に前記配送票３２を貼着する一方、配送票３２を剥離した納品管理票１は、商品とともに包装箱５０内に収容してもよい。
【００２５】
配送作業は、通常と同様に、届け先を管轄する配達店に到着した後剥離した配達票兼受領票３４に印字記入された配送情報に基づいてなされ、包装箱５０は、届け先記入欄４５に印字記入された届け先へ配送される。届け先では、受領票３４の受領印捺印欄２１に受領印の捺印を受けて持ち帰る。
【００２６】
一方、届け先である商品の申込者は、包装箱５０の蓋を開き、納品明細票３の印字記入内容を自己の申込内容と一致しているか確認するとともに、配送された商品を確認し、特に問題がない場合には、払込票２を用いて、郵便局またはコンビニエンスストアから送金する。この際、払込票２の各記入欄１６，１７，１８，１９には、必要事項がすべて記入されているので、そのまま使用することができる。
【００２７】
ここで、配送された商品に何らかの不都合がある場合、例えば、商品が申込内容や納品明細記入欄２０の内容と違っていたり、破損しているような場合は、返品連絡票４の返品明細記入欄２２に返品数と理由を記入して切り用ミシン目６，７，８を破断し、前記返品連絡票４を葉書として投函する。このように、本実施形態では、商品の申込者は、必要最少限度の事項のみを記入すればよいものである。
【００２８】
次に、配送票部分に関する他の実施形態を図５に基づいて説明する。スリット５４で連接した貼付票５２と配達票兼受領票５３とからなる配送票５１は、シート１ａの各切り用ミシン目７，８で区画された右上部分、すなわち第１の実施形態における白紙部３１に対応する部分に、スリット５５で分離可能に区画形成し、この配送票５１の裏面側には貼着部を設けている。
【００２９】
この貼着部は、配送票５１の裏面側に、各切り用ミシン目７，８で区画された右上部分全体にわたって設けた弱粘着剤５７で、基材５６を剥離可能に接着するとともに、前記基材５６の裏面に設けた強粘着剤５８を、剥離剤５９を塗布した保護シート６１で被覆して構成している。なお、スリット５５は前記剥離剤５９の上面にまで達している。そして、基材５６の前記配達票兼受領票５３に対応する表面側には、印刷層４０と同様の印刷層６０を形成して、前記配達票兼受領票５３の剥離性を高めている。
【００３０】
したがって、配送票５１は、基材５６とともにシ−ト１ａから分離するようにして、保護シート６１から剥離可能で、露出した強粘着剤５８により再接着可能であり、配達票兼受領票５３は基材５６から容易に剥離可能である。また、剥離剤５９は、均一に塗布してもよいが、プリント時の剥離トラブル防止のため、前記配送票５１の一対の対向辺に対応する部分を剥離しにくいように塗布してもよい。この剥離しにくい部分は、剥離性が劣る別の剥離剤を塗布して形成することもできる。
【００３１】
この実施形態の他の構成及び使用方法などは、上述した実施形態と同一であり、包装箱５０に貼付した後の剥離も図４に示す状態と同一であるから、その説明は省略する。
【００３２】
なお、本発明は、上述した各実施形態に限定されるものではなく、例えば、払込票２は、金融機関用のみとし、コンビニエンスストア用の払込受領証１５を設けなくてもよい。さらに、各記入欄１６，１８，１９，２０，２２，４２，４４及び各記入部２１，２３，４１，４４の構成や記入内容も上述したものに限られない。またさらに、印刷層４０，６０は設けなくてもよい。
【００３３】
【発明の効果】
以上のように、本発明の各請求項に記載の納品管理票によれば、配送票と払込票と納品明細票と返品連絡票を備えているので、配送先や商品等のプリント作業は、一度で済んで効率的であるとともに、各票におけるプリント内容に齟齬をきたすことがなく、また、ピッキング作業にあたっては、配送先と配送商品とのマッチングミスを起こす虞がなく、さらに、配送された商品になんらかの不都合がある場合は、返品連絡票の返品明細記入欄に所定事項を記入して葉書として投函できるという効果を奏する。
【図面の簡単な説明】
【図１】  納品管理票の表面側を示す平面図。
【図２】  同じく裏面側を示す平面図。
【図３】  同じく配送票部分の断面図。
【図４】  包装用箱に貼付した配送票から配達票兼受領票を剥離する状態を示す斜視図。
【図５】  配送票部分の他の実施形態を示す断面図。
【符号の説明】
１      納品管理票
１ａ      シート
２      払込票
３      納品明細票
４      返品連絡票
５      案内書
６，７，８，１２      切り用ミシン目
１３      払込取扱票
１４      払込票兼受領証
１５      払込受領証
１６      払込先情報記入欄
１７      払込人情報記入欄
１８，１９      払込受領情報記入欄
２０      納品明細記入欄
２１，４１，４４      伝票番号記入部
２２      返品明細記入欄
２３      客名記入部
３１      白紙部
３２，５１      配送票
３３，５２      貼付票
３４，５３      受領票
３５，５４，５５      スリット
３６，５６      基材
３７，５７      弱粘着剤
３８，５８      強粘着剤
３９，５９      剥離剤
４０，６０      印刷層
４２，４５      届け先記入欄
５０      包装箱
６１      保護シート
【図１】
0003675685.tif 000002
【図２】
0003675685.tif 000003
【図３】
0003675685.tif 000004
【図４】
0003675685.tif 000005
【図５】
0003675685.tif 000006